(57)【要約】【課題】  ケーブルモデムターミネーションシステム装置と光送受信器との間を双方向に伝送される高周波信号を検出する高周波信号検出装置およびその方法を提供する。【解決手段】  高周波信号検出装置をケーブルモデムターミネーションシステム装置と光送受信器との間に設けられた下り伝送路および上り伝送路に介在して設ける。すなわち、信号用端子に下り伝送路および上り伝送路の配線を接続し、検出用端子にスペクトルアナライザなどを接続する。そして、上り伝送路および下り伝送路を送受信される高周波信号の入力を受けることにより、プリント基板に設けられた回路により高周波信号の取り出しを容易にして、この高周波信号をスペクトルアナライザなどに出力してこれを検出する。これにより、下り伝送路および上り伝送路を双方向に送受信される高周波信号を検出することができる。また、双方向の高周波信号を同時に検出することができる。【選択図】図１
2007274618.tif 000002
【特許請求の範囲】
【請求項１】
ケーブルテレビ局内に設けられた下り伝送路および上り伝送路を通じて、ケーブルモデムターミネーションシステム装置と信号送受信器との間を双方向に伝送される高周波信号を検出する高周波信号検出装置であって、
筐体と、
この筐体上に設けられ、上記下り伝送路および上記上り伝送路の高周波信号を入出力する信号用端子と、
上記筐体上に設けられ、上記高周波信号を測定用機器に出力する検出用端子と、
上記筐体内に設けられ、上記信号用端子に入力された高周波信号を受け、この高周波信号を上記検出用端子に出力する回路が設けられたプリント基板とを備えた高周波信号検出装置。
【請求項２】
上記検出用端子には、上記下り伝送路の高周波信号を出力する下り伝送路検出用端子と、
上記上り伝送路の高周波信号を出力する上り伝送路検出用端子と、
上記下り伝送路の高周波信号と上記上り伝送路の高周波信号とを混合した高周波信号を出力する混合端子とが含まれる請求項１に記載の高周波信号検出装置。
【請求項３】
上記混合端子は、上記下り伝送路と上記上り伝送路とに混合されて接続され、双方向に伝送される上記下り伝送路の高周波信号または上記上り伝送路の高周波信号を入出力する請求項２に記載の高周波信号検出装置。
【請求項４】
上記混合端子は、変復調機器を接続する端子である請求項３に記載の高周波信号検出装置。
【請求項５】
上記筐体内には、上記プリント基板が複数個配設された請求項１〜請求項４のいずれか１項に記載の高周波信号検出装置。
【請求項６】
上記筐体の前背面部の一方側には上記検出用端子が配設され、他方側には上記信号用端子が配設された請求項１〜請求項５のいずれか１項に記載の高周波信号検出装置。
【請求項７】
上記筐体に配設された信号用端子の左右方向の一方側に上記ケーブルモデムターミネーションシステム装置と接続する信号用端子を備え、他方側に上記信号送受信器と接続する信号用端子を備えた請求項１〜請求項６のいずれか１項に記載の高周波信号検出装置。
【請求項８】
上記筐体内には、各プリント基板の周りを覆う金属からなる遮蔽板が設けられた請求項１〜請求項７のいずれか１項に記載の高周波信号検出装置。
【請求項９】
ケーブルテレビ局内に設けられた下り伝送路および上り伝送路を通じて、ケーブルモデムターミネーションシステム装置と信号送受信器との間を双方向に伝送される高周波信号を検出する高周波信号検出方法であって、
上記下り伝送路の高周波信号と上記上り伝送路の高周波信号とを混合した高周波信号を出力する混合端子に変復調機器を接続しながら、上記下り伝送路および上記上り伝送路の高周波信号を検出する高周波信号検出方法。
【発明の詳細な説明】
【技術分野】
【０００１】
この発明は高周波信号検出装置およびその方法、詳しくはＣＡＴＶ事業者が提供するケーブルインターネットシステムの技術に関する。
【背景技術】
【０００２】
最近、インターネットの普及により、ＣＡＴＶシステムでもケーブルインターネットシステムの導入が必要となってきている。このケーブルインターネットシステムは、インターネットの接続に、一般回線やＩＳＤＮ回線など、通信専門の事業者が提供する回線を使用しないで、ＣＡＴＶ事業者が通信事業者を兼業してＣＡＴＶのケーブルを使用してインターネットの接続を提供するサービスである。このケーブルインターネットシステムは、ＣＡＴＶとともにブロードバンドサービスなどの高速なサービスとして提供されている。
【０００３】
図５に示すように、ケーブルインターネットシステムには、ＣＡＴＶ局側ヘッドエンド（Ｈ．Ｅ）内にケーブル・モデム終端装置が設置される。ケーブル・モデム終端装置は、ＣＡＴＶ局において、ケーブルモデムターミネーションシステム装置（ＣＭＴＳ：Cable Modem Termination System）と信号送受信器（局内施設）とを有する。
ＣＭＴＳは、ユーザ側から伝送される上り方向のデータを受信し、処理する機能を有している。また、ＣＡＴＶネットワークに接続されているユーザ数に対応して、ヘッドエンドに収容されている各ケーブルモデムに、マルチメディア・データを配信したり、外部のインターネットからのＩＰデータを配信したりする機能を有している。
また、信号送受信器とは、例えば光変調器（Ｅ／Ｏ）および光復調器（Ｏ／Ｅ）をいう。
そして、ＣＭＴＳと信号送受信器との間には、例えば、同軸ケーブルで構成された下り伝送路および上り伝送路が配設される。この下り伝送路および上り伝送路には、インターネットの情報となる高周波信号（ＲＦ信号）が双方向に伝送される。この高周波信号は、信号送受信器で光変換される。そして、光ケーブルを介して、信号送受信器（局外施設）により電気変換されて同軸ケーブルにより、各ユーザ側のケーブルモデムに情報として提供される。
【０００４】
一般家庭などのユーザ側に情報を提供するには、ＣＡＴＶ局から常時安定した高周波信号を送受信できるような環境が必要である。具体的には、ＣＭＴＳと信号送受信器との間に設けられた伝送路に伝送される高周波信号（ＲＦ信号）を検出することが望ましい。例えば、特許文献１には、ＣＡＴＶシステムの上り回線に上り帯域の高周波信号を出力するパイロット信号発生器を設け、上り回線の信号の状態をモニタする双方向ＣＡＴＶ増幅装置が開示されている。
【０００５】
【特許文献１】特開２００５−２００８２号公報
【発明の開示】
【発明が解決しようとする課題】
【０００６】
上述のように、ＣＡＴＶ局から常時安定した高周波信号を送受信できるように、配信側での情報の提供を常時監視する必要があり、ＣＭＴＳと信号送受信器との間を双方向に伝送される高周波信号（ＲＦ信号）を検出して常時監視することが望ましい。
しかし、伝送される高周波信号を検出するには、情報の提供サービスを停止するなどをして確認することが必要であった。
また、センター装置を有するＣＡＴＶ局内においては、一般の家庭などの高周波信号の状態を確認することが困難であり、実際は現地に行って確認する手間が生じていた。
さらに、従来においては、ＣＭＴＳと信号送受信器との間を双方向に伝送される高周波信号を検出する高周波信号検出装置が存在してなかった。
【０００７】
本発明は、ケーブルモデムターミネーションシステム装置と信号送受信器との間を双方向に伝送される高周波信号を検出する高周波信号検出装置およびその方法を提供することを目的とする。
また、本発明は、ＣＡＴＶ局内からユーザへの情報の提供のサービスを停止することなく、高周波信号を検出する高周波信号検出装置およびその方法を提供することを目的とする。
さらに、本発明は、現地に出向くことなく、ＣＡＴＶ局内において、高周波信号を検出する高周波信号検出装置およびその方法を提供することを目的とする。
【課題を解決するための手段】
【０００８】
請求項１に記載の発明は、ケーブルテレビ局内に設けられた下り伝送路および上り伝送路を通じて、ケーブルモデムターミネーションシステム装置と信号送受信器との間を双方向に伝送される高周波信号を検出する高周波信号検出装置であって、筐体と、この筐体上に設けられ、上記下り伝送路および上記上り伝送路の高周波信号を入出力する信号用端子と、上記筐体上に設けられ、上記高周波信号を測定用機器に出力する検出用端子と、上記筐体内に設けられ、上記信号用端子に入力された高周波信号を受け、この高周波信号を上記検出用端子に出力する回路が設けられたプリント基板とを備えた高周波信号検出装置である。
【０００９】
本発明の高周波信号検出装置は、ケーブルモデムターミネーションシステム装置（ＣＭＴＳ：Cable Modem Termination System）と信号送受信器との間を双方向に伝送される高周波信号（ＲＦ信号）を検出するものである。
ＣＭＴＳとは、ケーブルインターネット接続で、ＣＡＴＶ局側に設置するセンターモデムの総称をいう。ＣＭＴＳは、ユーザ側に設置するケーブルモデムと対になって動作する。
なお、ＣＡＴＶ局内において、ＣＭＴＳは、１個のみならず、複数個設けることができる。
信号送受信器とは、例えば、ＣＡＴＶ局内において、高周波信号（電気信号）を光信号に変換して、情報がユーザの方向に流れるように切り換える装置（光送受信器）をいう。また、ユーザ側からの情報を光信号として取り込み、ＲＦ信号（電気信号）に変換して、ＣＭＴＳに伝送する装置をいう。
ケーブルモデムターミネーションシステム装置と信号送受信器との間には、下り伝送路および上り伝送路が設けられている。この下り伝送路および上り伝送路には、双方向に高周波信号（ＲＦ信号）が伝送される。
下り伝送路および上り伝送路の本数は限定されず、１本でも複数本でもよい。例えば、下り伝送路を１本とし、上り伝送路を４本とする形態でもよい。または、下り伝送路を２本とし、上り伝送路を３本とする形態でもよい。例えば、１本の下り伝送路および４本の上り伝送路で構成したものを５組備えると、ＣＩＳＣＯ社製のＣＭＴＳ用モジュールＭＣ５×２０ラインカードを備えたセンター装置１２に適用することができる。
また、下り伝送路および上り伝送路は、例えば同軸ケーブルで構成される。
さらに、伝送路を伝送するＲＦ信号の強度および周波数は限定されない。
ＲＦ信号を検出する測定用機器は、例えばスペクトルアナライザが用いられる。
本願の高周波信号検出装置の筐体の素材は限定されず、例えば、アルミニウムなどを用いてもよい。また、筐体の形状も限定されず、略箱形状に形成してもよい。また、筐体内のプリント基板の配線層の数も限定されず、３層でも４層でもよい。
【００１０】
請求項１に記載の発明にあっては、本願に係る高周波検出装置は、筐体と、筐体上に設けられ、下り伝送路および上り伝送路の高周波信号を入出力する信号用端子が設けられる。また、高周波信号を測定用機器に出力する検出用端子が設けられている。さらに、筐体内には、上記信号用端子に入力された高周波信号を受け、この高周波信号を上記検出用端子に出力する回路が設けられたプリント基板が設けられている。
そして、本願に係る高周波信号検出装置をケーブルモデムターミネーションシステム装置と信号送受信器との間に設けられた下り伝送路および上り伝送路に介在して設ける。すなわち、信号用端子に下り伝送路および上り伝送路の配線を接続し、検出用端子にスペクトルアナライザなどを接続する。そして、下り伝送路および上り伝送路を伝送する高周波信号の入力を受けることにより、プリント基板に設けられた回路により高周波信号の取り出しを容易にして、この高周波信号をスペクトルアナライザなどに出力してこれを検出する。これにより、下り伝送路および上り伝送路を双方向に伝送する高周波信号を検出することができる。また、双方向の高周波信号を同時に検出することができる。
【００１１】
請求項２に記載の発明は、上記検出用端子には、上記下り伝送路の高周波信号を出力する下り伝送路検出用端子と、上記上り伝送路の高周波信号を出力する上り伝送路検出用端子と、上記下り伝送路の高周波信号と上記上り伝送路の高周波信号とを混合した高周波信号を出力する混合端子とが含まれる請求項１に記載の高周波信号検出装置である。
【００１２】
請求項２に記載の発明にあっては、下り伝送路検出用端子により下り伝送路の高周波信号を、上り伝送路検出用端子により上り伝送路の高周波信号をそれぞれ独立して取り出せることができる。また、混合端子により下り伝送路の高周波信号と上記上り伝送路の高周波信号とが混合された高周波信号も検出することもできる。
【００１３】
請求項３に記載の発明は、上記混合端子は、上記下り伝送路と上記上り伝送路とに混合されて接続され、双方向に伝送される上記下り伝送路の高周波信号または上記上り伝送路の高周波信号を入出力する請求項２に記載の高周波信号検出装置である。
【００１４】
請求項３に記載の発明にあっては、上記混合端子には、下り伝送路と上り伝送路とが混合されて接続されている。この混合端子を用いて、双方向に伝送される上記上り伝送路の高周波信号または上記下り伝送路の高周波信号を入出力することができる。これにより、例えばケーブルモデムなどの接続ができる。
【００１５】
請求項４に記載の発明は、上記混合端子は、変復調機器を接続する端子である請求項３に記載の高周波信号検出装置である。
変復調機器は、例えば、ユーザ側で使用されるケーブルモデム、セット・トップボックス（ＳＴＢ）などが使用される。
【００１６】
請求項４に記載の発明にあっては、上記混合端子は、変復調機器を接続する端子でもある。例えば、ケーブルモデムをその混合端子に接続する。これにより、ＣＡＴＶ局内において、ユーザ側との接続の状態を確認することができる。すなわち、ＣＡＴＶ局内において、高周波信号を検出することにより、ユーザの情報提供の状態を確認することができる。
【００１７】
請求項５に記載の発明は、上記筐体内には、上記プリント基板が複数個配設された請求項１〜請求項４のいずれか１項に記載の高周波信号検出装置である。
【００１８】
請求項５に記載の発明にあっては、１つの筐体内に複数個のプリント基板を配設することができる。１つのプリント基板には、１つの双方向の伝送路に対応する回路が設けられている。例えば、筐体内の５枚のプリント基板を配設すると、５組の双方向の伝送路に対応する回路を配設することができる。
【００１９】
請求項６に記載の発明は、上記筐体の前背面部の一方側には上記検出用端子が配設され、他方側には上記信号用端子が配設された請求項１〜請求項５のいずれか１項に記載の高周波信号検出装置である。
【００２０】
請求項６に記載の発明にあっては、例えば、筐体の背面部に信号用端子を配設し、筐体の前面部に検出用端子を配設する。すなわち、伝送路の入出力信号を筐体の背面部から取り込み、筐体のプリント基板を介して、筐体の正面部から高周波信号を出力するように構成する。
これにより、ケーブル接続を容易にするとともに、信号の取り出しを容易にすることができる。
【００２１】
請求項７に記載の発明は、上記筐体に配設された信号用端子の左右方向の一方側に上記ケーブルモデムターミネーションシステム装置と接続する信号用端子を備え、他方側に上記信号送受信器と接続する信号用端子を備えた請求項１〜請求項６のいずれか１項に記載の高周波信号検出装置である。
【００２２】
請求項７に記載の発明にあっては、例えば、ＣＭＴＳと接続する信号用端子は、筐体の背面部の右側面側に設けられる。また、光送受信装置と接続する信号用端子は、筐体の背面部の左側面側に設けられる。これにより、ＣＭＴＳからの同軸ケーブルと、光送受信装置からの同軸ケーブルとが絡んだり、入り乱れたりすることが生じにくい。
【００２３】
請求項８に記載の発明は、上記筐体内には、各プリント基板の周りを覆う金属からなる遮蔽板が設けられた請求項１〜請求項７のいずれか１項に記載の高周波信号検出装置である。
プリント基板を遮蔽する金属の素材は限定されない。例えば、アルミニウムなどが用いられる。
また、プリント基板とプリント基板との間を一枚の遮蔽板で遮蔽する構造としてもよい。または、複数の遮蔽板で箱形状にして、その箱の中にプリント基板を配設するようにしてもよい。
【００２４】
請求項８に記載の発明にあっては、各プリント基板の周りには、他のプリント基板への信号の干渉を防ぐ遮蔽板が設けられている。あるプリント基板で生じる信号から他のプリント基板への信号干渉を防止することができる。
【００２５】
請求項９に記載の発明は、ケーブルテレビ局内に設けられた下り伝送路および上り伝送路を通じて、ケーブルモデムターミネーションシステム装置と信号送受信器との間を双方向に伝送される高周波信号を検出する高周波信号検出方法であって、上記下り伝送路の高周波信号と上記上り伝送路の高周波信号とを混合した高周波信号を出力する混合端子に変復調機器を接続しながら、上記下り伝送路および上記上り伝送路の高周波信号を検出する高周波信号検出方法である。
【発明の効果】
【００２６】
本発明によれば、本願に係る高周波信号検出装置を、ケーブルモデムターミネーションシステム装置と信号送受信器との間に設けられた下り伝送路および上り伝送路に介在して設ける。すなわち、信号用端子に下り伝送路および上り伝送路の配線を接続し、検出用端子にスペクトルアナライザなどを接続する。そして、下り伝送路および上り伝送路を送受信される高周波信号の入力を受けることにより、プリント基板に設けられた回路により高周波信号の取り出しを容易にして、この高周波信号をスペクトルアナライザなどに出力してこれを検出する。これにより、ＣＡＴＶ局内において、下り伝送路および上り伝送路を双方向に送受信される高周波信号を検出することができる。また、双方向の高周波信号を同時に検出することができる。
さらに、ケーブルモデムなどを伝送路に配設することにより、運用中のサービスを停止する事なくユーザ側の情報の提供の状態をＣＡＴＶ局内において監視することができる。
【実施例１】
【００２７】
以下、この発明の第１の実施例を図１〜図５を参照して説明する。
まず、本実施例に係るケーブルインターネットシステム構成について説明する。図１に示すように、本実施例に係るケーブルインターネットシステムは、主として、ＣＡＴＶ局側ヘッドエンドに設けられるケーブル・モデム終端装置と、ユーザ側に設けられるケーブルモデムとで構成される。
ケーブル・モデム終端装置は、ＣＡＴＶ局と接続された外部のネットワークからくるＩＰデータを含むマルチメディア・データを分配する機能を有している。このケーブル・モデム終端装置は、センター装置１２（ＣＭＴＳ）を備えている。このセンター装置１２は、ユーザ側から伝送される上り方向のデータを受信し、処理する機能を有する。また、ＣＡＴＶネットワークに接続されているユーザ数に対応して、ヘッドエンドに収容されている各ケーブル・モデムに、マルチメディア・データを配信したり、外部のインターネットからのＩＰデータを配信したりする機能を有する。
【００２８】
また、図１に示すように、ＣＡＴＶ局内には、信号送受信器１３（局内施設）が設けられる。信号送受信器１３は、光変調器（Ｅ／Ｏ）と光復調器（Ｏ／Ｅ）とを備えている。
光変調器（Ｅ／Ｏ）は、センター装置１２からのＲＦ信号（電気信号）を光信号に変換するものである。すなわち、センター装置１２から伝送された電気信号を光信号に変換して、局外に設けられた信号送受信器１３に光ファイバーケーブルを介して伝送するものである。
光復調器（Ｏ／Ｅ）は、光信号を電気信号に変換するものである。すなわち、ユーザ側のケーブルモデム２０から光ファイバーケーブルを介して伝送された光信号を電気信号に変換して、その電気信号をセンター装置１２に伝送するものである。
また、接続された同軸ケーブルを介して、ユーザ側のケーブルモデム２０やセット・トップボックス２１などに配信するための装置である。
【００２９】
さらに、図１に示すように、ケーブルモデムターミネーションシステム装置と信号送受信器１３との間には、上り伝送路１５（ＵｐＳｔｒｅａｍ）および下り伝送路１４（ＤｏｗｎＳｔｒｅａｍ）が設けられている。そして、この伝送路は同軸ケーブルを使用して構成される。この下り伝送路１４および上り伝送路１５には、インターネットの情報が取り込まれたＲＦ信号（高周波信号）が双方向に伝送される。
上り伝送路１５に伝送されるＲＦ信号の形態は、例えば周波数が５〜５５ＭＨｚのＲＦ信号である。また、下り伝送路１４に伝送されるＲＦ信号の形態は、例えば周波数が７０〜８６０ＭＨｚのＲＦ信号である。
図１は、１本の下り伝送路１４と、４本の上り伝送路１５とを備えたケーブルインターネットシステムの構成を示している。
なお、ＣＡＴＶ局内においては、センター装置１２を、１個のみならず、複数個設けることも可能である。これに対応して、局内装置、伝送路なども複数個設けることもできる。
本実施例では、１つのセンター装置１２で、複数組の伝送路に対応するケーブルモデムインターネットシステムを示す。
【００３０】
ＣＡＴＶ局外においては、従来と同様である。図５に示すように、ＣＡＴＶ局外には、信号送受信器２３（局外施設）が設けられる。この局外施設は、上記局内の信号送受信器１３（局内施設）と光ファイバーケーブルとで接続されている。
また、ユーザ側の各家庭は、テレビまたはパソコンを備えている。テレビには、ＣＡＴＶ局からデータを送受信するセット・トップボックス２１（ＳＴＢ）が接続される。また、パソコンには、ケーブルモデム２０（ＣＭ）が接続される。
そして、上記局外の信号送受信器１３は、同軸ケーブルを介して、ユーザ側にセット・トップボックス２１およびケーブルモデム２０が接続される。
【００３１】
そして、上記伝送路に介在して、本願に係るＲＦモニタ１１（高周波信号検出装置）が設けられる。本実施例に係るＲＦモニタ１１は、例えば、ＣＩＳＣＯ社製のＣＭＴＳ用モジュールＭＣ５×２０ラインカード（商品名：Cisco 5×20U Broadband Processing Engine Cisco uBR10012 ユニバーサル広帯域ルータ用）を備えたセンター装置１２に適用できる。このラインカードには、５個の下り伝送路用のコネクタと、２０個の上り伝送路用のコネクタとを備えている。したがって、１つのセンター装置１２で、５組の伝送路に対応することができる。
図２および図３を参照して、このＲＦモニタ１１は、以下の構成を有している。すなわち、ＲＦモニタ１１は、例えば箱形状の筐体１９を有している。この筐体１９の素材はアルミニウムなどである。
例えば、図２に示すように、筐体１９の背面部には、センター装置１２との入出力を行う信号用端子１６、信号送受信器１３との入出力を行う信号用端子１６が配列されている。図３に示すように、筐体１９の前面部には、ＲＦ信号を検出する検出用端子１７が配設されている。
筐体１９の内部には、上記信号用端子１６に入力されたＲＦ信号を受け、このＲＦ信号を上記検出用端子１７に出力する回路が設けられたプリント基板１８を備えている。
【００３２】
次に、筐体１９上の端子の具体的な構成について説明する。
まず、筐体１９の背面部の信号用端子１６の配列は以下の通りである。図２に示すように、正面視して背面部の左側には、センター装置１２（ＣＭＴＳ）側の下り伝送路１４および上り伝送路１５の同軸ケーブルと連結する信号用端子１６が設けられる。
また、右側には、信号送受信器１３（Ｆｉｅｌｄ）側の下り伝送路１４および上り伝送路１５の同軸ケーブルを連結する信号用端子１６が設けられる。これにより、ＣＭＴＳ側からの同軸ケーブルと、Ｆｉｅｌｄ側からの同軸ケーブルとが絡んだり、入り乱れたりすることが生じにくくなる。
そして、下り伝送路１４の信号用端子（ＤｏｗｎＳｔｒｅａｍ［１］−［５］）を上方に、上り伝送路１５の信号用端子（ＵｐＳｔｒｅａｍ［１］−［５］）を下方に設ける。
【００３３】
一方、筐体１９の正面部の検出用端子１７の配列は以下の通りである。図３に示すように、検出用（モニタ）端子１７は、プリント基板（［１］−［５］）ごとの構成となる。各プリント基板ごとに、正面視して前面部の左側から順に、下り伝送路検出用端子（ＤｏｗｎＳｔｒｅａｍ）、混合端子（ＤＵ０−ＤＵ３）および上り伝送路検出用端子（ＵｐＳｔｒｅａｍ０−ＵｐＳｔｒｅａｍ３）がそれぞれ設けられている。
上り伝送路検出用端子（ＵｐＳｔｒｅａｍ３−ＵｐＳｔｒｅａｍ０）は、各上り伝送路１５のＲＦ信号を独立して取り出すことができる。また、下り伝送路検出用端子（ＤｏｗｎＳｔｒｅａｍ）は、下り伝送路１４のＲＦ信号を独立して取り出すことができる。さらに、混合端子は、上り伝送路１５のＲＦ信号と上記下り伝送路１４のＲＦ信号とを混合したＲＦ信号を検出することができる。
また、混合端子（ＤＵ０−３）は、ケーブルモデム２０（変復調機器）またはセット・トップボックス２１を接続することもできる。
【００３４】
これにより、図３に示すＲＦモニタ１１は、検出用端子１７として、上り伝送路１５を２０ポート、下り伝送路１４を５ポート、混合端子を２０ポート有している。
例えば、各検出用端子１７では伝送信号を−１５ｄＢ以下の損失、混合端子では−３８ｄＢ以下の損失に抑えてＲＦ信号を取り出せるようにした。
また、下り信号と上り信号間は互いに信号干渉を受けないように、信号レベルを−６０ｄＢ以上に抑えるようにした。
【００３５】
筐体１９の内部には、プリント基板１８が配設される。このプリント基板１８には、下り伝送路１４および上り伝送路１５を送受信されるＲＦ信号の入力を受けることにより、このＲＦ信号を測定用機器に出力する回路が設けられている。
具体的には、この回路には、取り込んだ高周波信号を減衰させない回路などが設けられている。
筐体１９内には、５個のプリント基板１８が配設されている。すなわち、各組の伝送路に対応してプリント基板１８が設けられている。
このような、筐体１９内にプリント基板１８を配設することにより、省スペース化と多ポート化を実現することができる。
しかしながら、本実施では、基板１枚に対して１組の伝送路の回路が設けられている。すると、１つの筐体１９内にはプリント基板１８が複数枚組み込まれるため、１つの基板から他の基板へ信号が回り込むなどして、各々の信号干渉が懸念される。
そこで、各プリント基板１８に対して、シールド構造を施す。具体的には、図４に示すように、複数個のアルミニウムの遮蔽板２１により略箱形状に形成し、その箱の中にプリント基板１８を配設する。これにより、あるプリント基板１８上を伝送する信号が他のプリント基板１８に回り込むなどして信号の干渉を防ぐことができる。
【００３６】
次に、本願発明に係るケーブルインターネットシステムにおける高周波信号検出方法を説明する。
まず、本願に係るＲＦモニタ１１を準備する。次いで、ＲＦモニタ１１の背面部の信号用端子１６に下り伝送路１４および上り伝送路１５の配線を接続する。また、検出用端子１７にスペクトルアナライザなどを接続する。そして、下り伝送路１４および上り伝送路１５を送受信される高周波信号の入力を受けることにより、プリント基板１８に設けられた回路により高周波信号の取り出しを容易にして、この高周波信号をスペクトルアナライザなどに出力してこれを検出する。
これにより、下り伝送路１４および上り伝送路１５を双方向に送受信される高周波信号を検出することができる。また、双方向の高周波信号を同時に検出することができる。
具体的には、下り伝送路１４および上り伝送路１５の各ＲＦ信号を独立して取り出すこともできる。すなわち、図３に示す筐体１９の検出用端子（ＤｏｗｎＳｔｒｅａｍ０、ＵｐＳｔｒｅａｍ０−３）からＲＦ信号を検出できる。さらに、混合端子により、上り伝送路１５のＲＦ信号と上記下り伝送路１４のＲＦ信号とを混合したＲＦ信号を検出することができる
【００３７】
また、本願に係るＲＦモニタ１１は、ＣＡＴＶ局内の伝送路にケーブルモデム２０を接続することができる。すなわち、図３に示す筐体１９の混合端子（ＤＵ０−３）にケーブルモデム２０を接続することができる。これにより、ユーザ側の情報の提供の状態をＣＡＴＶ局内において確認することができる。すなわち、ＣＡＴＶ局内において、ユーザ側への情報提供時でのＲＦ信号の状態をモニタリングすることができる。
【００３８】
例えば、ケーブルモデムターミネーションシステムまたは伝送路に障害が発生した場合に、検出用端子に接続した測定器（スペクトルアナライザ）の測定データや混合端子に接続したケーブルモデムの動作を確認することにより、障害状態を維持したまま障害内容の特定が行える。
【図面の簡単な説明】
【００３９】
【図１】本発明の実施例１に係る本実施例に係るケーブルインターネットシステムの構成を示すシステム構成図である。
【図２】本発明の実施例１に係る高周波信号検出装置を示す正面図である。
【図３】本発明の実施例１に係る高周波信号検出装置を示す背面図である。
【図４】本発明の実施例１に係る高周波信号検出装置内のプリント基板の周りに設けられた遮蔽構造を示す斜視図である。
【図５】従来に係るケーブルインターネットシステムの構成を示すシステム構成図である。
【符号の説明】
【００４０】
１１  ＲＦモニタ（高周波信号検出装置）、
１２  センター装置（ＣＭＴＳ（ケーブルモデムターミネーションシステム装置））、
１３  局内施設（信号送受信器）、
１４  下り伝送路、
１５  上り伝送路、
１６  信号用端子、
１７  検出用端子、
１８  プリント基板、
１９  筐体、
２０  ケーブルモデム、
２１  遮蔽板。
【図１】
2007274618.tif 000003
【図２】
2007274618.tif 000004
【図３】
2007274618.tif 000005
【図４】
2007274618.tif 000006
【図５】
2007274618.tif 000007